(57)【要約】【課題】従来の配送伝票の無駄なスペースを省きながら、貴重品などの配送に対して高い安全性を確保でき、しかも、特殊な設備は必要なく、低コスト化が可能な封印シール付き伝票とその使用方法及び貴重品配送システムを提供する。【解決手段】封印シール付き伝票１０は、伝票本体１１とタック紙１４とが、擬似接着層によって剥離可能に接着された多ｐｔ方式の配送伝票であり、伝票本体１１は、識別番号や識別記号などの第１の識別情報１２と、必要事項を記入するための記入欄１３とを備え、タック紙１４は、タック基材１５、粘着剤層１６及び剥離紙１７が順に積層された積層ラベルであり、２つの封印シール１８を備え、封印シール１８は、ハーフカットｈｃによって、タック基材１５の一部を区画して分離可能に設けられ、第１の識別情報１２と同一の第２の識別情報１９を備え、伝票本体１１と封印シール１８とを配送物に貼付し、この状態で配送物を配送する。【選択図】図１
2006051767.tif 000002
【特許請求の範囲】
【請求項１】
第１の識別情報を有する伝票本体と、
前記伝票本体の少なくとも一部に、擬似接着層及び／又は接着層を介して設けられた第１の基材と、
前記第１の基材に粘着剤層を介して剥離可能に設けられた第２の基材と、
前記第１の基材の一部を区画して分離可能に設けられ、前記第１の識別情報と少なくとも一部が同一又は関連性のある第２の識別情報を有し、前記第２の基材を剥離したときには、その第２の基材側に残る少なくとも１つの封印シール部と、
を備える封印シール付き伝票。
【請求項２】
請求項１に記載の封印シール付き伝票において、
前記封印シール部は、被着体に貼付した後には、剥離の有無が確認可能であること、
を特徴とする封印シール付き伝票。
【請求項３】
請求項１又は請求項２に記載の封印シール付き伝票において、
前記第１の基材、前記粘着剤層及び前記第２の基材は、タック基材、粘着剤層及び剥離シートが順に積層されたタックシートであること、
を特徴とする封印シール付き伝票。
【請求項４】
請求項１から請求項３までのいずれか１項に記載の封印シール付き伝票を使用する封印シール付き伝票の使用方法において、
前記第２の基材を剥離して前記伝票本体を配送物に貼付し、前記第２の基材に残った前記封印シール部を剥離して前記配送物に貼付し、この状態で前記配送物を配送すること、
を特徴とする封印シール付き伝票の使用方法。
【請求項５】
請求項１から請求項３までのいずれか１項に記載の封印シール付き伝票を使用する貴重品配送システムにおいて、
配送元に設けられ、前記各識別情報を読み取る第１の読取部と、
前記第１の読取部が読み取った各識別情報を記憶する記憶部と、
配送先に設けられ、前記各識別情報を読み取る第２の読取部と、
前記記憶部が記憶している各識別情報と前記第２の読取部が読み取った各識別情報とを比較し、配送の前後で各識別情報が適正に整合しているか否かを確認する確認部と、
を備える貴重品配送システム。
【発明の詳細な説明】
【技術分野】
【０００１】
本発明は、貴重品を配送するのに好適な封印シール付き伝票とその使用方法及び貴重品配送システムに関するものである。
【背景技術】
【０００２】
従来、配送伝票は、主として、筆記による複写構造を有する多ｐｔ（パート）方式と、デジタルデータの複写による１ｐｔ方式の２種がある（例えば、特許文献１）。
いずれの形態も、一般的には、配送物に伝票本体が貼付できるようにタック紙が設けられている。
【０００３】
一方、貴重品の集配を集配業者に委託する場合に、安全性を高めることができる貴重品集配方法なども知られている（例えば、特許文献２）。
【０００４】
しかし、上述した従来の配送伝票は、多ｐｔ方式の場合には、最終枚目にタック紙が配置されているが、このタック紙には、ナンバーだけが設けられており、ナンバー以外の部分は、白紙状態となっており、有効利用されていない。
【０００５】
また、１ｐｔ方式の場合にも、最終枚目にタック紙が配置されているが、このタック紙には、剥離可能な配達票が形成され、約款や営業所の連絡先などが印刷されているものの、剥離不可能な貼付票は、全面が１枚目の伝票基材と接着されており、やはり、有効利用されていなかった。
【０００６】
一方、特許文献２のものは、集配スケジュールを管理し、各当事者に貴重品の集配スケジュールを通知することによって、集配スケジュールが第三者に漏洩することを防止しているものであるが、貴重品の保護や、配送中の安全面に関しては、十分に対応がとられていない可能性があった。
【０００７】
また、特許文献２のものは、予約管理装置、集配計画作成装置、集配センタ装置、予約装置などといった様々な装置を導入しなくてはならず、このようなシステムを導入するには、コストがかかりすぎてしまう可能性もあった。
【特許文献１】特開２００１−２５５８２２号公報
【特許文献２】特開２００２−０８７５２１号公報
【発明の開示】
【発明が解決しようとする課題】
【０００８】
本発明の課題は、従来の配送伝票の無駄なスペースを省きながら、貴重品などの配送に対して高い安全性を確保でき、しかも、特殊な設備は必要なく、低コスト化が可能な封印シール付き伝票とその使用方法及び貴重品配送システムを提供することである。
【課題を解決するための手段】
【０００９】
本発明は、以下のような解決手段により、前記課題を解決する。なお、理解を容易にするために、本発明の実施例に対応する符号を付して説明するが、これに限定されるものではない。
請求項１の発明は、第１の識別情報（１２）を有する伝票本体（１１）と、前記伝票本体（１１）の少なくとも一部に、擬似接着層及び／又は接着層を介して設けられた第１の基材（１５）と、前記第１の基材（１５）に粘着剤層（１６）を介して剥離可能に設けられた第２の基材（１７）と、前記第１の基材（１５）の一部を区画して分離可能に設けられ、前記第１の識別情報（１２）と少なくとも一部が同一又は関連性のある第２の識別情報（１９）を有し、前記第２の基材（１７）を剥離したときには、その第２の基材（１７）側に残る少なくとも１つの封印シール部（１８）と、を備える封印シール付き伝票である。
請求項２の発明は、請求項１に記載の封印シール付き伝票において、前記封印シール部（１８）は、被着体に貼付した後には、剥離の有無が確認可能であること、を特徴とする封印シール付き伝票である。
請求項３の発明は、請求項１又は請求項２に記載の封印シール付き伝票において、前記第１の基材（１５）、前記粘着剤層（１６）及び前記第２の基材（１７）は、タック基材、粘着剤層及び剥離シートが順に積層されたタックシート（１４）であること、を特徴とする封印シール付き伝票である。
請求項４の発明は、請求項１から請求項３までのいずれか１項に記載の封印シール付き伝票（１０）を使用する封印シール付き伝票の使用方法において、前記第２の基材（１７）を剥離して前記伝票本体（１１）を配送物に貼付し、前記第２の基材（１７）に残った前記封印シール部（１８）を剥離して前記配送物に貼付し、この状態で前記配送物を配送すること、を特徴とする封印シール付き伝票の使用方法である。
請求項５の発明は、請求項１から請求項３までのいずれか１項に記載の封印シール付き伝票（１０）を使用する貴重品配送システムにおいて、配送元に設けられ、前記各識別情報（１２、１９）を読み取る第１の読取部（２０１）と、前記第１の読取部（２０１）が読み取った各識別情報（１２、１９）を記憶する記憶部（２０２）と、配送先に設けられ、前記各識別情報（１２、１９）を読み取る第２の読取部（３０１）と、前記記憶部（２０２）が記憶している各識別情報（１２、１９）と前記第２の読取部（３０１）が読み取った各識別情報（１２、１９）とを比較し、配送の前後で各識別情報（１２、１９）が適正に整合しているか否かを確認する確認部（３０２）と、を備える貴重品配送システムである。
【発明の効果】
【００１０】
本発明によれば、伝票本体と封印シール部とに、少なくとも一部が同一又は関連性のある識別情報を設けているので、両者を容易に紐付けすることができ、配送物を配送した後には、マッチング作業も容易に行え、貴重品などの配送に対して高い安全性を確保できる。
【００１１】
また、封印シール部は、第１の基材の一部を区画して、分離可能に設けられているので、従来の配送伝票の無駄なスペースを省くことができる。
【００１２】
さらに、封印シール部は、被着体に貼付した後には、剥離の有無が確認可能であるので、不正な開封や識別情報の改ざんなどを防止することができ、貴重品などの配送に好適である。
【００１３】
さらにまた、相互に紐付けられている伝票本体と封印シール部とを貼付して配送物を配送するので、配送中の安全性を確保しながら、貴重品を配送することができる。
【００１４】
一方、貴重品配送システムは、安全性の高い封印シール付き伝票を使用するので、最低限の設備投資で済み、特殊な設備は必要なく、低コスト化が可能である。
【発明を実施するための最良の形態】
【００１５】
本発明は、従来の配送伝票の無駄なスペースを省きながら、貴重品などの配送に対して高い安全性を確保でき、しかも、特殊な設備は必要なく、低コスト化が可能な封印シール付き伝票とその使用方法及び貴重品配送システムを提供するという目的を、伝票本体と、最終枚目のタック紙に内蔵した封印シールとに同一の識別情報を設け、伝票本体と封印シールとを配送物に貼付して、配送物を配送することにより実現する。
【実施例】
【００１６】
以下、図面等を参照して、本発明の実施例について、さらに詳しく説明する。
図１は、本発明による封印シール付き伝票の実施例を示す図であり、図２は、剥離した状態の剥離紙を示す図である。
本実施例の封印シール付き伝票１０は、貴重品を配送するための多ｐｔ方式の配送伝票であり、伝票本体１１と、最終枚目に配置されたタック紙（タックシート）１４とが、擬似接着層によって部分的に剥離可能に接着されている。
【００１７】
伝票本体１１は、貴重品が封入されている荷物などの配送物に貼付するものであって、複数枚の用紙が積層されており、識別番号（例えば、０１２３４−５６７８−９０１２）や識別記号（例えば、バーコード）などの第１の識別情報１２と、必要事項を記入するための記入欄１３とを備える。
【００１８】
タック紙１４は、タック基材（第１の基材）１５、粘着剤層１６及び剥離紙（第２の基材、剥離シート）１７が順に積層された積層ラベルであり、２つの封印シール（封印シール部）１８を備える。
【００１９】
封印シール１８は、上述した伝票本体１１とともに、配送物に貼付するものであり、タック基材１５の表面から剥離紙１７を貫通しないように設けられたハーフカットｈｃによって、タック基材１５の一部を区画して分離可能に設けられ、第１の識別情報１２と同一の第２の識別情報１９を備える。
【００２０】
また、封印シール１８は、配送物（被着体）に貼付した後には、剥離の有無が確認可能な切込みラベルであり、具体的には、封印シール１８の内部の四隅に、「くの字」状の切込み２０が設けられ、ラベルを剥離すると、その切込み２０によってラベルの一部が破壊され、再貼付しても剥離（開封）した痕跡が残るものである。
【００２１】
（使用方法）
次に、本実施例による封印シール付き伝票１０の使用方法を説明する。
（＃１）伝票本体１１の記入欄１３に必要事項を記入し、控片などを手渡しする。
（＃２）タック紙１４の剥離紙１７を剥離し、伝票本体１１を配送物の所定の位置に貼付する。
ここで、剥離紙１７を剥離したときには、図２に示すように、封印シール１８は、剥離紙１７側に残る。
【００２２】
（＃３）剥離紙１７側に残った封印シール１８を剥離し、配送物の開封予定位置などの要所に貼付する。
（＃４）この状態で配送物を配送（配達）する。
【００２３】
（＃５）配送先（届け先）で、封印シール１８が正常に貼付されていることと、伝票本体１１の第１の識別情報１２と封印シール１８の第２の識別情報１９とが同一であることを確認してもらう。
（＃６）封印シール１８が正常に貼付されており、かつ、識別情報が同一であることを確認してもらったうえで、受領印をもらう。
【００２４】
（＃７）これで、配送は完了するが、不審な点（例えば、開封の痕跡ありなど）がある場合には、配送先から配送元の依頼主に確認をすれば、識別情報の整合性を確認することができる。
【００２５】
（システム）
次に、図１及び図３を参照しながら、本発明による貴重品配送システムについて説明する。
図３は、本発明による貴重品配送システムの実施例を示す図である。
本実施例の貴重品配送システム１００は、上述した使用方法でのやりとりをシステム化したものであり、配送元端末２００と、配送先端末３００と、ネットワーク４００などとを備える。
【００２６】
配送元端末２００は、パーソナルコンピュータなどの端末であり、伝票本体１１の第１の識別情報１２、及び、封印シール１８の第２の識別情報１９を読み取る第１のリーダ（第１の読取部）２０１と、第１のリーダ２０１が読み取った各識別情報を記憶するデータベース（記憶部）２０２とを備える。
【００２７】
配送先端末３００は、配送元端末２００と同様の端末であり、配送されてきた伝票本体１１の第１の識別情報１２、及び、配送されてきた封印シール１８の第２の識別情報１９を読み取る第２のリーダ（第２の読取部）３０１と、配送の前後での各識別情報の整合性を確認する確認部３０２とを備える。
【００２８】
ネットワーク４００は、インターネットなどの通信手段であり、配送元端末２００と配送先端末３００とを接続している。
【００２９】
そして、配送物を配送する場合は、まず、配送元の第１のリーダ２０１で各識別情報を読み取り、ついで、実際に配送物を配送し、最後に、配送先の第２のリーダ３０１で各識別情報を読み取る。
【００３０】
ここで、確認部３０２は、データベース２０２が記憶している各識別情報と、第２のリーダ３０１が読み取った各識別情報とを比較し、配送の前後で各識別情報が適正に整合しているか否かを確認する。確認結果は、配送先端末３００の表示画面などに表示するとよい。
【００３１】
このように、本実施例によれば、以下のような効果がある。
（１）伝票本体１１と封印シール１８とに、同一の識別情報１２、１９を設けているので、両者を容易に紐付けすることができ、配送物を配送した後には、マッチング作業も容易に行え、貴重品などの配送に対して高い安全性を確保できる。
（２）封印シール１８は、最終枚目のタック紙１４に内蔵されているので、従来の配送伝票の無駄なスペースを省くことができ、また、封印シールを別途用意する必要はなく、利用者の利便性も向上する。
【００３２】
（３）封印シール１８は、配送物に貼付した後には、剥離の有無が確認可能な切込みラベルであるので、不正な開封や識別情報の改ざんなどを防止することができ、不正行為が介在した場合には、その事実が確認できる。
（４）相互に紐付けられている伝票本体１１と封印シール１８とを貼付して配送物を配送するので、配送中の安全性を確保しながら、貴重品を配送することができる。
【００３３】
（５）封印シール１８は、２つあるので、開封を予定している部分が複数箇所ある場合には、その複数箇所に貼付することができ、使い勝手がよい。
（６）貴重品配送システム１００は、上述した封印シール付き伝票１０を使用するので、端末とリーダなどといった最低限の設備投資で済み、特殊な設備は必要なく、低コスト化が可能である。
【００３４】
（変形例）
以上説明した実施例に限定されることなく、種々の変形や変更が可能であって、それらも本発明の均等の範囲内である。
例えば、封印シール１８は、２つ設ける例で説明したが、製造しやすくするために、１つでもよく、また、安全性を高めるために、３つ以上であってもよい。封印シール１８を３つ以上設ける場合には、タック紙１４が孔あき状態となるため、配送物への接着性が若干低下するので、伝票本体１１のサイズにもよるが、最大６つ程度が好ましい。
【００３５】
また、本実施例では、多ｐｔ方式の配送伝票の例で説明したが、伝票基材／接着層／タック紙といった１ｐｔ方式の配送伝票であっても、本実施例と同様の効果が得られる。
【００３６】
さらに、伝票本体１１や封印シール１８には、同一の識別情報を設ける例で説明したが、関連性のある識別情報を設けるようにしてもよい。このようにすれば、当事者にしか、その関係がわからないので、安全性がさらに高まる。
【図面の簡単な説明】
【００３７】
【図１】本発明による封印シール付き伝票の実施例を示す図である。
【図２】剥離した状態の剥離紙を示す図である。
【図３】本発明による貴重品配送システムの実施例を示す図である。
【符号の説明】
【００３８】
１０  封印シール付き伝票
１１  伝票本体
１２  第１の識別情報
１３  記入欄
１４  タック紙（タックシート）
１５  タック基材（第１の基材）
１６  粘着剤層
１７  剥離紙（第２の基材、剥離シート）
１８  封印シール（封印シール部）
１９  第２の識別情報
２０  切込み
１００  貴重品配送システム
２００  配送元端末
２０１  第１のリーダ（第１の読取部）
２０２  データベース（記憶部）
３００  配送先端末
３０１  第２のリーダ（第２の読取部）
３０２  確認部
４００  ネットワーク
ｈｃ  ハーフカット
【図３】
2006051767.tif 000003
【図１】
2006051767.tif 000004
【図２】
2006051767.tif 000005